(57)【要約】【課題】遊技盤アウト球排出通路の加工を容易にすること。【解決手段】遊技盤取付枠３０の枠状体の下辺部３７には、切欠部１７の後側を閉塞する後壁３４ａが設けられる。また補強板６１の取付枠入口３６に対応する部位は、アウト口５１を塞がない程度に前側に切り起こされて切起部６２ａとされ、切起部６２ａによって切欠部１７の前側の下部が覆われる。よって後壁３４ａと切起部６２ａとによって、切欠部１７の内部に遊技盤アウト球排出通路６４が形成される。取付枠アウト球排出通路３５は、遊技盤取付枠３０の下辺部３７の上面において、切欠部１７に対応する位置で開口する取付枠入口３６を有する。そして補強板６１に切起部６２ａが形成されることで、取付枠入口３６が補強板６１によって閉塞されない構造とされる。よって、取付枠アウト球排出通路３５と遊技盤アウト球排出通路６４とが連通され、アウト球排出通路６５が形成される。【選択図】図５
2009213745.tif 000002
【特許請求の範囲】
【請求項１】
遊技球が転動する遊技領域を前面側に有し、該遊技領域において最下流部でない位置には、該遊技領域を流下する遊技球が入ることが可能な入賞装置が設けられ、該遊技領域の最下流部には、該入賞装置に入らなかった遊技球を該遊技領域から排出するためのアウト口が設けられた遊技盤と、
前記遊技盤が嵌め込まれた枠状体と、該枠状体において該枠状体の下辺部の上面に取り付けられ該遊技盤の下端面を当接支持する金属製でかつ平板状の補強板とを有する遊技盤取付枠と、
前記遊技盤の下端部から前記遊技盤取付枠の前記下辺部にかけて設けられ、前記アウト口に入った遊技球を受け入れて当該遊技球の流下を案内するアウト球排出通路とを備え、
前記遊技盤には、該遊技盤の下端部において前記アウト口に対応する部位を切り欠いて該遊技盤の前後方向に貫通する切欠部が設けられ、
前記アウト球排出通路は、前記切欠部の内部に位置する切欠部内通路と、該切欠部の外部に位置して該切欠部内通路を経由した遊技球を受け入れる切欠部外通路とを有し、
前記遊技盤取付枠において前記枠状体の前記下辺部には、前記切欠部の後側を閉塞する後壁が設けられ、
前記切欠部外通路は、前記下辺部の前記上面において前記切欠部に対応する位置で開口する入口を有し、
前記補強板において前記切欠部外通路の前記入口に対応する部位は、前記アウト口を塞がない程度に前側に切り起こされて切起部とされ、
前記切起部によって前記切欠部の前側の下部が覆われることで、該切起部と前記後壁との間の空間が前記アウト口に連通する前記切欠部内通路をなし、
前記切起部の形成によって前記切欠部外通路の前記入口が前記補強板によって閉塞されないことで、該入口が前記切起部と前記後壁との間の空間に開放されて、該切欠部外通路と前記切欠部内通路とが連通されていることを特徴とするパチンコ機。
【発明の詳細な説明】
【技術分野】
【０００１】
本発明は、パチンコ機が備えるアウト球の排出通路の構造に関する。
【背景技術】
【０００２】
図８に特許文献１に係るパチンコ機を示す。遊技盤１１０における飾り板１５０の取付箇所には、平板部１５１ａよりも若干小径の開口１１７（アウト口）が遊技盤１１０を貫通するように形成されている。その背面側にはガイド板１５２と概ね同幅であって下端側を切り欠かれた凹部１１７ａが形成されている。なお、この凹部１１７ａの下端側開口と対面する遊技盤収容取付枠１３０の側壁には開口１３１が形成され、この開口１３１と背面側の開口１３２とを連通してアウト球通路１３３が形成されている。
【０００３】
【特許文献１】特開２００３−１３５７１０号公報
【発明の開示】
【発明が解決しようとする課題】
【０００４】
特許文献１のパチンコ機では、開口１１７と凹部１１７ａとを遊技盤１１０に形成する必要があるが、これら２つの形状を形成することは困難であり、加工効率の低下を招くため問題である。
【課題を解決するための手段】
【０００５】
請求項１に係るパチンコ機では、遊技盤取付枠において枠状体の下辺部には、切欠部の後側を閉塞する後壁が設けられる。また補強板において切欠部外通路の入口に対応する部位は、アウト口を塞がない程度に前側に切り起こされて切起部とされ、当該切起部によって切欠部の前側の下部が覆われる。よって後壁と切起部とによって、切欠部の内部にアウト口に連通する切欠部内通路が形成される。
【０００６】
また請求項１に係るパチンコ機では、切欠部外通路は、遊技盤取付枠の下辺部の上面において、切欠部に対応する位置で開口する入口を有する。そして補強板に切起部が形成されることで、切欠部外通路の入口が補強板によって閉塞されない構造とされる。よって、切欠部外通路の入口が切起部と後壁との間の空間に開放されて、該切欠部外通路と切欠部内通路とが連通され、アウト球排出通路が形成される。
【０００７】
これにより第１に、アウト球排出通路を形成する際には、遊技盤には切欠部を形成するだけでよい。よって遊技盤に貫通孔や凹部などの複数の形状を形成するような場合に比して、加工を容易とすることができる。またこれにより第２に、補強板に切起部を作ることで、切起部によってアウト球排出通路の切欠部の前側の下部を覆うことができると共に、切欠部外通路の入口が補強板によって閉塞されない構造とすることができる。すなわち補強板に予め切起部を設け、切起部が設けられた補強板を枠状体の下辺部の上面に取り付けることで、切起部は切欠部の前側の下部を覆って切起部と後壁との間の空間がアウト口に連通する切欠部内通路をなすとともに、切欠部外通路の入口を切起部と後壁との間の空間に開放して切欠部外通路と切欠部内通路とを連通させることを一度に行うことが可能となる。よって、加工をさらに容易にすることができる。
【発明を実施するための最良の形態】
【０００８】
以下、本発明の実施の形態を図面を参照にして説明する。図１に、本発明に係るパチンコ機の全体斜視図を示す。図１は前面枠２０を開放した状態である。遊技盤１０は、遊技盤取付枠３０上に脱着可能に載置されている。
【０００９】
また図２に、本発明に係るパチンコ機の正面図を示す。図において、遊技盤１０の下方から発射された遊技球は、レール１１に誘導されて遊技領域１２に射出される。遊技領域１２は遊技球が転動する領域である。そして遊技領域１２には、該遊技領域１２を流下する遊技球が入ることが可能な入賞装置であるチャッカーやアタッカー（不図示）が備えられている。そしてチャッカーやアタッカーに入賞しなかった遊技球は、アウト球として、遊技領域１２の最下流部（レール１１の最下部）に備えられたアウト口５１に導入される。アウト口に入ったアウト球は、アウト球排出通路６５によって流下するように案内される。アウト球排出通路６５は、遊技盤１０に備えられる遊技盤アウト球排出通路６４と、遊技盤取付枠３０に備えられる取付枠アウト球排出通路３５とを有する。取付枠アウト球排出通路３５は、遊技盤アウト球排出通路６４を経由して流下してきたアウト球を受け入れる通路である。すなわち、アウト口５１に導入されたアウト球は、遊技盤１０に備えられる遊技盤アウト球排出通路６４により遊技盤１０の下方へ導出される。遊技盤１０の下方へ導出されたアウト球は、遊技盤取付枠３０に備えられる取付枠アウト球排出通路３５を介して、遊技盤取付枠３０の背面に形成された排出口３２から外部へ排出される。
【００１０】
図３および図４を用いて、遊技盤１０および遊技盤取付枠３０を説明する。図３は前面側の斜視図であり、図４は背面側の斜視図である。図３および図４は、共に切欠部１７近傍の拡大図である。図３および図４に示すように、遊技盤１０の下端の中央部には、切欠部１７が形成される。切欠部１７は、遊技盤１０の下端部において、アウト口５１に対応する部位を切り欠いて形成される。また切欠部１７は、遊技盤１０の前後方向に貫通して、遊技盤１０の下端が開放されるように形成される。また切欠部１７によって遊技盤１０に形成された内壁の壁面は、遊技盤１０の表面に対して垂直にされる。
【００１１】
図３および図５を用いて、ガイド部３４を説明する。図５は遊技盤１０および補強板６１を取り外した状態での、切欠部１７近傍の拡大斜視図である。遊技盤取付枠３０は遊技盤１０が嵌め込まれる枠状体を有する。そして枠状体の下辺部３７には、ガイド部３４が備えられる。ガイド部３４の形状は、遊技盤１０を遊技盤取付枠３０に嵌め込んだ際に、ガイド部３４が切欠部１７に嵌合するような形状とされる。ガイド部３４は、背面側に後壁３４ａを備え、上面側に上壁３４ｃを備え、遊技盤取付枠３０の幅方向に側壁３４ｂを備える。よってガイド部３４は、前面側と下面側のみが開口した形状を有する。また遊技盤取付枠３０の下辺部３７には、補強板６１が取り付けられる。
【００１２】
図５を用いて、補強板６１を説明する。補強板６１は金属製の平板状の板であり、略Ｌ字型の断面を有する。補強板６１の補強面６１ａは、遊技盤取付枠３０の下辺部３７を覆う面であり、遊技盤１０の下端面を当接支持する面である。補強板６１は、遊技盤取付枠３０の下辺部３７の上面に取り付けられる。下辺部３７の同一平面上には、取付枠アウト球排出通路３５の取付枠入口３６が形成されている。取付枠入口３６は、下辺部３７の上面において、切欠部１７に対応する位置で開口する。また取付枠入口３６は、ガイド部３４の下面側の開口部と連通するように形成される。補強板６１の補強面６１ａのうちの取付枠入口３６およびガイド部３４に対応する部分は、遊技盤１０側へ（すなわち図面上方へ）切り起こされ、切起部６２ａが形成される。切起部６２ａの上方への高さは、アウト口５１を塞がない程度の高さとされる。切起部６２ａは遊技盤１０の前面側から背面側に向かって下方に傾斜するように折り曲げられる。また切起部６２ａが形成されることによって、遊技盤１０側から遊技盤取付枠３０側への開口部３１が形成される。
【００１３】
図６を用いて、アウト口５１の形成方法を説明する。図６は補強板６１を遊技盤取付枠３０へ取り付けて遊技盤１０を遊技盤取付枠３０へ載置した状態での、切欠部１７近傍の拡大正面図である。図６に示すように、切欠部１７の上方部の前面側が飾り板５０とレール１１とによって囲われることで、アウト口５１が形成される。
【００１４】
図３および図７を用いて、遊技盤アウト球排出通路６４の形成方法を説明する。図７は、図２のＡ−Ａ断面図であり、切欠部１７近傍の拡大断面図である。ガイド部３４の後壁３４ａによって、切欠部１７の遊技盤１０の背面側が閉塞されることで、遊技盤アウト球排出通路６４の後壁が構成される。またガイド部３４の側壁３４ｂによって、遊技盤アウト球排出通路６４の側壁が構成される。また補強板の切起部６２ａによって、切欠部１７の下方部の前面側が塞がれることで、遊技盤アウト球排出通路６４の前壁が構成される。切起部６２ａの先端部分とガイド部３４の上壁３４ｃとの間には、距離Ｄを有する間隙が形成される。距離Ｄはアウト球の直径よりも大きくされることで、間隙を介してアウト球を遊技盤アウト球排出通路に導入可能とされる。以上より、切起部６２ａとガイド部３４の後壁３４ａとの間に形成された空間によって、遊技盤アウト球排出通路６４が構成される。
【００１５】
なお切起部６２ａの側辺部分とガイド部３４の側壁３４ｂとの間隔は、遊技球の直径よりも小さくされることで、遊技球が遊技盤アウト球排出通路６４から遊技盤１０の前面側へ漏れ出ることが防止される。
【００１６】
以上より、切起部６２ａの形成によって、取付枠アウト球排出通路３５の取付枠入口３６が補強板６１によって閉塞されないことで、取付枠入口３６が切起部６２ａと後壁３４ａとの間の空間に開放される。これにより、取付枠アウト球排出通路３５と遊技盤アウト球排出通路６４とが連通することで、アウト口５１から開口部３１および取付枠入口３６を介して排出口３２へ至る、アウト球排出通路６５が形成される。
【００１７】
本発明に係るパチンコ機の動作について、図７を用いて説明する。図７においてアウト球は、矢印Ｙ１に示すような経路を辿って取付枠アウト球排出通路３５へ導かれる。すなわち、入賞しなかったアウト球はレール１１により中央最下部に集められ、アウト口５１に導入される。アウト口５１に導入されたアウト球は、後壁３４ａおよび切起部６２ａにガイドされることで、遊技盤１０の下方側へ落下する。落下したアウト球は、開口部３１および取付枠入口３６を介して取付枠アウト球排出通路３５へ導入される。取付枠アウト球排出通路３５へ導入されたアウト球は、排出口３２（図２、図４）から遊技盤取付枠３０の外部へ排出される。そして切起部６２ａは、前面側から背面側に向かって下方に傾斜している。よって遊技盤アウト球排出通路６４の水平方向の断面積は、遊技盤１０の上方から下方へ向かうにつれ除々に小さくなるため、アウト口５１に導入されたアウト球を取付枠アウト球排出通路３５へとスムーズに導出することができる。
【００１８】
以上説明したように、本発明に係るパチンコ機では、遊技盤アウト球排出通路６４を形成する際に、遊技盤１０には切欠部１７を形成するだけでよい。よって従来技術の凹部１１７ａ（図８）のような複雑な形状を遊技盤に形成する場合に比して、遊技盤アウト球排出通路の加工を容易にすることができる。
【００１９】
また、補強板６１に切起部６２ａを作ることで、切起部６２ａによって遊技盤アウト球排出通路６４の前壁を構成することができると共に、開口部３１を形成することができる。すなわち前壁を形成する工程と、開口部を形成する工程とを一度に行うことが可能となるため、加工をさらに容易にすることができる。
【００２０】
また、遊技盤アウト球排出通路６４の前壁を構成する切起部６２ａは、遊技盤１０の前面側から背面側に向かって下方に傾斜する。よってスムーズにアウト球を下方へと導出することができる。また折り曲げ量を調整することにより、傾斜角を容易に調整することが可能となる。
【００２１】
尚、本発明は上記実施の形態に限定されるものでなく、その趣旨を逸脱しない範囲で様々な変更が可能である。ガイド部３４は、側壁３４ｂおよび上壁３４ｃを備えない形状としてもよい。この場合には切欠部１７の内壁が側壁および上壁として作用し、遊技盤アウト球排出通路を構成するためである。また補強板６１の材料には金属以外の素材を用いても良く、例えば樹脂製であってもよいことは言うまでもない。
【００２２】
なお、遊技盤アウト球排出通路６４は切欠部内通路の一例、取付枠アウト球排出通路３５は切欠部外通路の一例、取付枠入口３６は入口の一例である。
【００２３】
上記実施形態から把握できる技術的思想について以下に記載する。
（１）請求項１に記載するパチンコ機において、前記切起部は前記遊技盤の前面側から背面側に向かって下方に傾斜するように折り曲げられることを特徴とするパチンコ機。このようにすれば、スムーズに遊技球を下方へと導出することができる。
（２）請求項１又は請求項２に記載するパチンコ機において、
前記切起部の先端部分と、前記切欠部によって前記遊技盤に形成された内壁のうち前記遊技盤の上方端部に位置する前記内壁とによって形成される間隙の距離は、前記遊技球の直径よりも大きくされることを特徴とするパチンコ機。このようにすれば、当該間隙からアウト球を遊技盤アウト球排出通路に導入することができる。
【図面の簡単な説明】
【００２４】
【図１】本発明に係るパチンコ機の全体斜視図
【図２】同パチンコ機の全体正面図
【図３】遊技盤および遊技盤取付枠の前面斜視図
【図４】遊技盤および遊技盤取付枠の背面斜視図
【図５】切欠部近傍の拡大斜視図
【図６】切欠部近傍の拡大正面図
【図７】切欠部近傍の拡大断面図
【図８】従来例に係るパチンコ機の凹部近傍の拡大斜視図
【符号の説明】
【００２５】
１０…遊技盤、１７…切欠部、３０…遊技盤取付枠、３５…取付枠アウト球排出通路、３６…取付枠入口、３７…下辺部、６１…補強板、６２ａ…切起部、３４ａ…後壁  ６４…遊技盤アウト球排出通路、６５…アウト球排出通路
【図１】
2009213745.tif 000003
【図２】
2009213745.tif 000004
【図３】
2009213745.tif 000005
【図４】
2009213745.tif 000006
【図５】
2009213745.tif 000007
【図６】
2009213745.tif 000008
【図７】
2009213745.tif 000009
【図８】
2009213745.tif 000010